(57)【要約】【課題】立った姿勢が安定し、歩行したことでリンパの流れを良くする、インソールの提供。【解決手段】流体を移動可能な状態に収容した収容部５がインソール１の内部に第１指中足指関節部２と第４又は第５指中足指関節部３と踵部４とを結ぶ部分に対応して設けられ、人が立った場合には、流体６が収容部５の横アーチ部対応部分８と踵部対応部分１０とから人の足の内側縦アーチ部１１の土踏まず部１２に集中し、横アーチ部対応部分８と踵部対応部分１０とが人の体重で潰れ、人の足の第１指中足指関節部２と踵部４とが収容部５の流体６の少ない部分に着地し、人の立った姿勢が安定する一方、人が歩行した場合には、流体６が収容部５の内部で内側縦アーチ部１１の土踏まず部１２をつま先の側と踵部４の側とに移動することにより、人の足の土踏まず部１２を刺激し、リンパの流れが良くなる。【選択図】図１
2017042563.tif 000002
【特許請求の範囲】
【請求項１】
流体を移動可能な状態に収容した収容部が内部に設けられたインソールであって、収容部が人の足の第１乃至第５指中足指関節部の何れかと踵部とを結ぶ部分に対応して設けられ、収容部が外側縦アーチ部に対応する部分に設けられていないことを特徴とするインソール。
【請求項２】
流体を移動可能な状態に収容した収容部が内部に設けられたインソールであって、収容部が人の足の第１指中足指関節部と第４中足指関節部もしくは第５指中足指関節部と踵部とを結ぶ部分に対応して設けられ、収容部が外側縦アーチ部に対応する部分に設けられていないことを特徴とするインソール。
【請求項３】
流体がビンガム流体であることを特徴とする請求項１又は請求項２記載のインソール。
【請求項４】
収容部が人の足側の上層部と靴の底部の側に下層部とに挟まれかつ流体を移動可能に収容したバッグ部により構成され、上層部と下層部とバッグ部とが互いに接着されたことを特徴とする請求項１又は請求項２記載のインソール。
【発明の詳細な説明】
【技術分野】
【０００１】
本発明は、立った姿勢が安定し、歩行したことでリンパの流れを良くする、インソールに関する。インソールには取り外し可能な後入れタイプの中敷としての敷物、製造工程で靴の中に組み込まれる中底としての敷物が存在するが、本発明のインソールは中敷きとしての敷物及び中底としての敷物のどちらにも適用可能である。
【背景技術】
【０００２】
図７を参照し、特許文献１で開示されたインソール５１について説明する。図７に示したインソール５１は、内部に、踵部に対応する第１収容部５２、中足骨部（横アーチ部）に対応する第２収容部５３、内側縦アーチ部に対応する第３収容部５４、第１乃至第３収容部５４を相互に繋ぐ通路５５，５６を備え、第１乃至第３収容部５４の少なくとも１つが液体又はジェルで満たされている。そして、人がインソール５１を備えた靴を履いて歩行した場合に、液体又はジェルが通路５５，５６を経由して第１乃至第３収容部５２乃至５４に相互に移動し、人の足裏に刺激を与えるようになっている。
【０００３】
しなしながら、図７に示したインソール５１の第１乃至第３収容部５２乃至５４が通路５５，５６で相互に繋がった構造であるので、液体又はジェルが第１乃至第３収容部５２乃至５４の相互に円滑に移動せず、靴を履いた人に違和感を与える。又、第１乃至第３収容室５２乃至５４の容積が異なる場合、例えば、液体又はジェルが容積の小さな収容室から容積の大きな収容室に移動した場合は大きな容積の収容室の液体又はジェルによる膨張が小さく、液体又はジェルが容積の大きな収容室から容積の小さな収容室に移動した場合は液体又はジェルの一部が大きな収容室に残ることから、靴を履いた人に違和感を与える。
【先行技術文献】
【特許文献】
【０００４】
【特許文献１】ＷＯ２００８／０８７６８０号公報
【発明の概要】
【発明が解決しようとする課題】
【０００５】
本発明は、上記背景技術に鑑みてなされたものであり、立った姿勢が安定し、歩行したことでリンパの流れを良くする、インソールの提供を目的とする。
【課題を解決するための手段】
【０００６】
本発明は、流体を移動可能な状態に収容した収容部が内部に設けられたインソールであって、収容部が人の足の第１乃至第５指中足指関節部の何れかと踵部とを結ぶ部分に対応して設けられるか又は人の足の第１指中足指関節部と第４中足指関節部もしくは第５指中足指関節部と踵部とを結ぶ部分に対応して設けられ、収容部が外側縦アーチ部に対応する部分に設けられていないことを特徴とする。
【発明の効果】
【０００７】
本発明は、人がインソール１を備えた靴を履いて立った場合には、流体が収容部の横アーチ部対応部分と踵部対応部分とから人の足の内側縦アーチ部の土踏まず部に集中し、収容部における横アーチ部対応部分と踵部対応部分とが人の体重で上下方向より潰れ、人の足の第１指中足指関節部と踵部とがインソールの収容部の流体の少ない部分に着地し、人の立った姿勢が安定する一方、人がインソールを備えた靴を履いて歩行した場合には、流体が収容部の内部で内側縦アーチ部の土踏まず部をつま先の側と踵部の側とに移動することにより、人の足の土踏まず部を刺激し、リンパの流れが良くなる。
【０００８】
本発明において、流体がビンガム流体であれば、体重の移動に伴い流動がゆっくり移動して人の足の土踏まず部を適切に刺激できる。本発明において、収容部が人の足側の上層部と靴の底部の側に下層部とに挟まれかつ流体を移動可能な状態に収容したバッグ部により構成され、上層部と下層部とバッグ部とが互いに接着されれば、流体の満されたバッグ部を上層部と下層部との間に挟んでバッグ部を上層部と下層部とを接着すると、インソールが構成されるので、インソールの内部への収容部の形成が容易になる。
【図面の簡単な説明】
【０００９】
【図１】発明を実施するための形態１に係るインソールに人の足を重ねた状態を平面図のように示した模式図。
【図２】図１に示したＡ―Ａ線断面図。
【図３】人が発明を実施するための形態１に係るインソールを備えた靴を履いて歩行した場合のビンガム流体の移動を示した模式図。
【図４】人が発明を実施するための形態１に係るインソールを備えた靴を履いて歩行した場合の人の脚部のリンパの流れを示した模式図。
【図５】発明を実施するための形態２に係るインソールに人の足を重ねた状態を平面図のように示した模式図。
【図６】発明を実施するための形態３に係るインソールに人の足を重ねた状態を平面図のように示した模式図。
【図７】特許文献１のインソールを示した平面図。
【発明を実施するための形態】
【００１０】
図１を参照し、発明を実施するための形態１に係るインソール１について説明する。図１に示したインソール１は、内部に、人の足の第１指中足指関節部２と図示のされていない第４指中足指関節部もしくは第５指中足指関節部３と踵部４との３点を結ぶ部分に対応する収容部５が設けられ、収容部５にワセリン等のように或る程度の力を加えないと流動しない流体であるビンガム流体６が移動可能な状態で収容されている。収容部５が人の足の第１指中足指関節部２と図示のされていない第４指中足指関節部もしくは第５指中足指関節部３と踵部４とを結ぶ部分に対応して設けられたので、ビンガム流体６が歩行に支障がない範囲で広範囲に足の裏をマッサージし、リンパの流れが良くなり、足のむくみの解消につながる。
【００１１】
そして、人がインソール１を備えた靴を履いて立った場合には、ビンガム流体６が収容部５の横アーチ部７に対応する部分８（以下、横アーチ部対応部分８と称する）と踵部４に対応する部分１０（以下、踵部対応部分１０と称する）とから人の足の内側縦アーチ部１１に対応する部分としての土踏まず部１２に対応する部分９（以下、土踏まず部対応部分９と称する）に集中し、収容部５における横アーチ部対応部分８と踵部対応部分１０とが人の体重で上下方向より潰れ、人の足の第１指中足指関節部２と第５指中足指関節部３と踵部４とがインソール１の収容部５のビンガム流体６の少ない部分に着地し、人の立った姿勢が安定するようになっている。
【００１２】
又、人がインソール１を備えた靴を履いて歩行した場合には、ビンガム流体６が収容部５の内部で内側縦アーチ部１１の土踏まず部１２をつま先の側と踵部４の側とに移動することにより、人の足の土踏まず部１２を刺激し、リンパの流れが良くなるようになっている。尚、収容部５に移動可能な状態で収容される流体はビンガム流体６以外の流体でも適用可能であるが、上記のようにビンガム流体６であれば、体重の移動に伴い流動がゆっくり移動して人の足の土踏まず部を適切に刺激し、リンパの流れが更に良くなる。
【００１３】
尚、人の足において、第１指中足指関節部２と図示のされていない第４中足指関節部もしくは第５指中足指関節部３とを結ぶ仮想線に対応する部分が横アーチ部７であり、横アーチ部７における第１指中足指関節部２と図示のされていない第４中足指関節部もしくは第５指中足指関節部３との間に土踏まず部１３が存在する。
【００１４】
又、人の足において、第１指中足指関節部２と踵部４とを結ぶ仮想線に対応する部分が内側縦アーチ部１１であり、内側縦アーチ部１１における第１指中足指関節部２と踵部４との間に土踏まず部１２が存在する。
【００１５】
又、人の足において、第５指中足指関節部３と踵部４とを結ぶ仮想線に対応する部分が外側縦アーチ部１４であり、外側縦アーチ部１４における第５指中足指関節部３と踵部４と間に土踏まず部１５が存在する。
【００１６】
収容部５の外周部は、第１指中足指関節部２と図示のされていない第４中足指関節部もしくは第５指中足指関節部３とを結ぶ仮想線としての横アーチ部７から外れないで横アーチ部７に対応する弧状１６と、第１指中足指関節部２と踵部４とを結ぶ仮想線としての内側縦アーチ部１１から外れなで内側縦アーチ部１１に対応する弧状１７と、第５指中足指関節部３と踵部４とを結ぶ仮想線としての外側縦アーチ部１４から内側縦アーチ部１１の側に外れる弧状１８と、踵部４に対応する弧状１９とから構成される。これにより、収容部５は外側縦アーチ部１４に対応する土踏まず部１５に設けられていないため、人がインソール１を備えた靴を履いて歩行した場合に安定する。尚、収容部５は、土踏まず部対応部分９から横アーチ部対応部分８の側と踵部対応部分１０の側とに行くにしたがった横幅が広くなっている。
【００１７】
図２を参照し、発明を実施するための形態１に係るインソール１の内部構造について説明する。図２に示したインソール１の内部構造は、収容部５が人の足側の上層部２１と靴の底部の側に下層部２２とに挟まれかつかつ流体としてのビンガム流体６を移動可能な状態に収容したバッグ部２３により構成され、上層部２１と下層部２２とバッグ部２３とが互いに接着された多層構造になっている。よって、図２に示したインソール１の内部構造によれば、流体を移動可能な状態に収容したバッグ部が上層部と下層部との間に挟まれ、バッグ部を上層部と下層部とを接着すると、インソールが構成されるので、インソールの内部への収容部の形成が容易になる。上層部２１は、靴内での蒸れを防止するものであり、ポリエステルからなり、上層部２１の人の足側の表面に凹凸を備える。尚、上層部２１はポリエステルに限定されない。下層部２２は、靴内での移動を防止するとともに衝撃を吸収するものであり、ゴムスポンジからなる。尚、下層部２２はゴムスポンジに限定されない。
【００１８】
図３を参照し、人がインソール１を備えた靴を履いて歩行した場合のビンガム流体６の移動について説明する。先ず、図３のＡ図に示したように、人の足３１が前に踏み出して地面や床等の歩行面３２より浮き上がり、収容部５に外力が加わらず、ビンガム流体６が収容部５に全体的に広がった状態になる。
【００１９】
次に、図３のＢ図に示したように、前に踏み出された人の足３１が斜めになり、踵部４が歩行面３２に着地し、収容部５の踵部対応部分１０に外力が加わり、ビンガム流体６が収容部５の横アーチ部対応部分８に集中した状態になる。
【００２０】
そして、図３のＣ図に示したように、前に踏み出された人の足３１足が踵部４からつま先部３３まで全体的に歩行面３２に着地し、収容部５の横アーチ部対応部分８と踵部対応部分１０とに外力が加わり、ビンガム流体６が収容部５の内側縦アーチ部１１に対応する部分に集中し、土踏まず部１２に外力が加わる状態になる。
【００２１】
その後、図３のＤ図に示したように、前に踏み出された人の足３１の歩行面３２に着地したつま先部３３を中心として踵部４が歩行面３２より浮き上がり、ビンガム流体６が収容部５の踵部対応部分１０に集中した状態になり、図３のＡ図に繋がる。
【００２２】
以上のように、人がインソール１を備えた靴を履いて歩行した場合、図３のＡ図乃至Ｄに示した状態を繰り返すことで、ビンガム流体６が収容部５の内部で内側縦アーチ部１１を横アーチ部７と踵部４の側とに移動することにより、人の足３１の土踏まず部１２，１３を刺激する。この刺激により、図４に矢印で示したように、リンパの流れが良くなる。又、歩かずに、その場で、図３のＡ図乃至Ｄ図に示した状態になるように、インソール１を備えた靴を履いた人が体の重心を移動させることによっても、歩行したときと同様な効果が期待できる。
【００２３】
人の足のむくみはリンパの流れが滞り、老廃物がリンパ管からもれだして細胞のすき間に溜まってしまった状態である。足のむくみの解消方法の１つとして内側縦アーチ部１１を踵部４の側へ押す足裏マッサージがある。これに対し、人が図１及び図２で示したインソール１を備えた靴を履いて歩行すると、内側縦アーチ部１１をビンガム流体６がつま先部３３の側から踵部４の側に向けて移動することにより、図４に矢印で示したリンパの流れを生じる、適度な足裏マッサージの効果が期待できる。
【００２４】
図５を参照し、発明を実施するための形態２に係るインソール１について説明する。図５に示したインソール１は、収容部５が人の足の第１指中足指関節部２と踵部４とを結ぶ部分に対応して設けられたことで、人がインソール１を備えた靴を履いて立った場合には、ビンガム流体６が収容部５の第１指中足指関節部２に対応する部分２４（以下、第１指中足指関節部対応部分２４と称する）と踵部対応部分１０とから土踏まず部１２に集中し、収容部５の第１指中足指関節部対応部分２４と踵部対応部分１０とが人の体重で上下方向より潰れ、人の足の第１指中足指関節部２と踵部４とがインソール１の収容部５のビンガム流体６の少ない部分に着地し、人の足の第５指中足指関節部３がインソール１の収容部５及びビンガム流体６の存在しない部分に着地し、人の立った姿勢が安定する。
【００２５】
又、人がインソール１を備えた靴を履いて歩行した場合には、ビンガム流体６が収容部５の内部で内側縦アーチ部１１の土踏まず部１２をつま先の側と踵部４の側とに移動することにより、人の足の土踏まず部１２を刺激し、リンパの流れが良くなるようになっている。尚、収容部５に移動可能な状態で収容される流体はビンガム流体６以外の流体でも適用可能であるが、上記のようにビンガム流体６であれば、体重の移動に伴い流動がゆっくり移動して人の足の土踏まず部を適切に刺激し、リンパの流れが更に良くなる。図５に示したインソール１は、図１に示したインソール１よりも収容部５の容積が小さくなるので、ビンガム流体６の収容量が少なくなる。
【００２６】
収容部５の外周部は、内側縦アーチ部１１に対応する弧状１７と、外側縦アーチ部１４から内側縦アーチ部１１の側に外れる弧状１８と、踵部４に対応する弧状１９と、第１指中足指関節部２に対応する弧状２５と、から構成される。これにより、収容部５は外側縦アーチ部１４に対応する土踏まず部１５に設けられていないため、人がインソール１を備えた靴を履いて歩行した場合に安定する。尚、収容部５は、土踏まず部対応部分９と横アーチ部対応部分８の側との横幅が略同じで、土踏まず部対応部分９から踵部対応部分１０の側とに行くにしたがった横幅が広くなっている。
【００２７】
図６を参照し、発明を実施するための形態３に係るインソール１について説明する。図６に示したインソール１は、収容部５が人の足の図示のされていない第４指中足指関節部もしくは第５指中足指関節部３と踵部４とを結ぶ部分に対応して設けられたことで、人がインソール１を備えた靴を履いて立った場合には、ビンガム流体６が収容部５の第４指中足指関節部もしくは第５指中足指関節部３に対応する部分２６（以下、第４もしくは第５指中足指関節部対応部分２６と称する）と踵部対応部分１０とから土踏まず部１２に集中し、収容部５の第４もしくは第５指中足指関節部対応部分２６と踵部対応部分１０とが人の体重で上下方向より潰れ、人の足の第４指中足指関節部もしくは第５指中足指関節部３と踵部４とがインソール１の収容部５のビンガム流体６の少ない部分に着地し、人の足の第１指中足指関節部２がインソール１の収容部５及びビンガム流体６の存在しない部分に着地し、人の立った姿勢が安定する。
【００２８】
又、人がインソール１を備えた靴を履いて歩行した場合には、ビンガム流体６が収容部５の内部で内側縦アーチ部１１の土踏まず部１２をつま先の側と踵部４の側とに移動することにより、人の足の土踏まず部１２を刺激し、リンパの流れが良くなるようになっている。尚、収容部５に移動可能な状態で収容される流体はビンガム流体６以外の流体でも適用可能であるが、上記のようにビンガム流体６であれば、体重の移動に伴い流動がゆっくり移動して人の足の土踏まず部を適切に刺激し、リンパの流れが更に良くなる。図６に示したインソール１は、図１に示したインソール１よりも収容部５の容積が小さくなるので、ビンガム流体６の収容量が少なくなる。
【００２９】
収容部５の外周部は、内側縦アーチ部１１に対応する弧状１７と、外側縦アーチ部１４から内側縦アーチ部１１の側に外れる弧状１８と、踵部４に対応する弧状１９と、図示のされていない第４指中足指関節部もしくは第５指中足指関節部３に対応する弧状２７と、から構成される。これにより、収容部５は外側縦アーチ部１４に対応する土踏まず部１５に設けられていないため、人がインソール１を備えた靴を履いて歩行した場合に安定する。尚、収容部５は、土踏まず部対応部分９と横アーチ部対応部分８の側との横幅が略同じで湾曲し、土踏まず部対応部分９から踵部対応部分１０の側とに行くにしたがった横幅が広くなっている。
【００３０】
尚、図示は省略したが、収容部５が人の足の第１指中足指関節部２乃至第５指中足指関節部３の何れか１つと踵部４とを結ぶ部分に対応して設けられても適用可能である。
【符号の説明】
【００３１】
１    インソール
２    第１指中足指関節部
３    第５指中足指関節部
４    踵部
５    収容部
６    ビンガム流体
７    横アーチ部
８    横アーチ部対応部分
１０  踵部対応部分
１１  内側縦アーチ部
１２  土踏まず部
１３  土踏まず部
１４  外側縦アーチ部
１５  土踏まず部
１６  横アーチ部７に対応する弧状
１７  内側縦アーチ部１１に対応する弧状
１８  外側縦アーチ部１４から内側縦アーチ部１１の側に外れる弧状
１９  踵部４に対応する弧状
２１  上層部
２２  下層部
２３  バッグ部
２４  第１指中足指関節部対応部分
２５  第１指中足指関節部２に対応する弧状
２６  第４もしくは第５指中足指関節部対応部分
２７  第４指中足指関節部もしくは第５指中足指関節部３に対応する弧状
３１  人の足
３２  歩行面
３３  つま先部
【図１】
2017042563.tif 000003
【図２】
2017042563.tif 000004
【図３】
2017042563.tif 000005
【図４】
2017042563.tif 000006
【図５】
2017042563.tif 000007
【図６】
2017042563.tif 000008
【図７】
2017042563.tif 000009